(57)【要約】      （修正有）【課題】だまのないお茶の粉末を含んだ水を供給できると共に、使用後、凹状の槽の内壁に付着したお茶の粉末を容易に清掃することができる給茶機を提供する。【解決手段】給茶機Ｔは、水を受け入れる凹状の槽１ａを有した本体１と、槽１ａ内に水を供給する水供給管２と、槽１ａの外壁に取り付けられた冷却器３と、槽１ａ内に設けられ、上部を開口した上部開口部を有し、お茶の粉末を受け入れると共に、周囲をフィルタで形成された容器４と、槽１ａ内に設けられると共に、容器４の外側に位置し、槽１ａ内の前記お茶の粉末を含んだ水を攪拌する攪拌部材５と、凹状の槽１ａに連通すると共に、攪拌部材５により攪拌された前記お茶の粉末を含んだ水を槽１ａの外へ導く導出管６と、槽１ａ内の水位が容器４の上部開口部より下に位置するように水位調整を行う水位調整手段とを備えているものである。【選択図】図１
2008237423.tif 000002
【特許請求の範囲】
【請求項１】
水を受け入れる凹状の槽を有した本体と、
前記槽内に水を供給する水供給管と、
前記槽の外壁に取り付けられた冷却器と、
前記槽内に設けられ、上部を開口した上部開口部を有し、お茶の粉末を受け入れると共に、周囲をフィルタ部材で形成された容器と、
前記槽内に設けられると共に、前記容器の外側に位置し、前記槽内の前記お茶の粉末を含んだ水を攪拌する攪拌部材と、
前記凹状の槽に連通すると共に、前記攪拌部材により攪拌された前記お茶の粉末を含んだ水を前記槽の外へ導く導出管と、
前記槽内の水位が前記容器の上部開口部より下に位置するように水位調整を行う水位調整手段と
を備えていることを特徴とする給茶機。                     
【請求項２】
水供給管の流出口は、容器内のお茶の粉末に臨む位置に配置され、前記水供給管の流出口よりの水が前記お茶の粉末に当たって前記槽内に供給される
ことを特徴とする請求項１記載の給茶機。
【請求項３】
容器は上部を開口すると共に、底部を閉塞した筒状容器であり、該筒状容器の底部及び側面部をフィルタ部材で形成し、
水供給管の流出口は複数あって、少なくとも、前記複数の内の一つは前記容器の底部に置かれるお茶の粉末に臨む位置と、前記複数の内の一つは前記容器の側面部に臨む位置と、にそれぞれ配置されている
ことを特徴とする請求項１記載の給茶機。
【請求項４】
凹状の槽の上部開口部を塞ぐ第１の蓋と、
容器の上部開口部を覆う第２の蓋と、を備えている
ことを特徴とする請求項２又は３記載の給茶機。
【請求項５】
水は水道水であり、
槽は、円筒状の壁と、この円筒状の壁の下縁部に連なった漏斗状の底壁とを有し、
冷却器は、前記円筒状の壁の外側である外側壁に取り付けられ、
ヒータは、前記漏斗状の底壁の外側である外側底壁に取り付けられ、
前記槽内のお茶の粉末を含んだ水道水を前記冷却器または前記ヒータを作動、不作動に制御して温度調整する温度調整手段とを備えている
ことを特徴とする請求項１記載の給茶機。
【請求項６】
水を受け入れる凹状の槽を有した本体と、
前記槽内に水を供給する水供給管と、
前記槽の外壁に取り付けられた冷却器と、
前記槽内に設けられ、上部を開口した上部開口部を有し、お茶の粉末を受け入れると共に、周囲をフィルタ部材で形成された容器と、
前記槽内に設けられると共に、前記容器の外側に位置し、前記槽内の前記お茶の粉末を含んだ水を攪拌する攪拌部材と、
前記凹状の槽に連通すると共に、前記攪拌部材により攪拌された前記お茶の粉末を含んだ水を前記槽の外へ導く導出管と、
前記槽内の水位が前記容器の上部開口部より下に位置するように水位調整を行う水位調整手段とを備えた給茶機であって、
この給茶機の使用後、前記凹状の槽内を水洗いした後、前記凹状の槽内に水を入れ、前記給茶機の次の使用に至る間、前記温度調整手段により前記槽内の水を冷却器により、約１０℃以下に調整すると共に、前記攪拌部材により前記水を攪拌する
ことを特徴とする給茶機の洗浄方法。
【請求項７】
水を受け入れる凹状の槽を有した本体と、
前記槽内に水を供給する水供給管と、
前記槽の外壁に取り付けられた冷却器と、
前記槽内に設けられ、上部を開口した上部開口部を有し、飲料用の粉末を受け入れると共に、周囲をフィルタ部材で形成された容器と、
前記槽内に設けられると共に、前記容器の外側に位置し、前記槽内の前記飲料用の粉末を含んだ水を攪拌する攪拌部材と、
前記凹状の槽に連通すると共に、前記攪拌部材により攪拌された前記飲料用の粉末を含んだ水を前記槽の外へ導く導出管と、
前記槽内の水位が前記容器の上部開口部より下に位置するように水位調整を行う水位調整手段と
を備えていることを特徴とする飲料用供給機。
【発明の詳細な説明】
【技術分野】
【０００１】
本発明は、給茶機、飲料用供給機及び給茶機の洗浄方法に係り、特に、だまのないお茶の粉末（飲料用供給機にあっては、だまのない飲料用の粉末）を含んだ水を供給できると共に、使用後、凹状の槽の内壁に付着したお茶の粉末（飲料用供給機にあっては、だまのない飲料用の粉末）を容易に清掃することができる給茶機、飲料用供給機及び給茶機の洗浄方法に関する。
【０００２】
従来、例えば、容器本体内にパイプをスパイラルに配置し、前記容器本体内に氷片等を含んだ水を入れると共に、前記パイプ内にアイスコーヒー、アイス紅茶を導くようにして、アイスコーヒー、アイス紅茶を冷やすアイスコーヒー、アイス紅茶用冷却具がある（例えば、特許文献１参照）。
【特許文献１】実開昭６２−２７５２８号公報
【発明の開示】
【発明が解決しようとする課題】
【０００３】
このアイスコーヒー、アイス紅茶用冷却具を、例えば、お茶の粉末を原料とした茶飲料に適用した場合、水にお茶の粉末を溶け込ませることが困難で、だまになったお茶の粉末がパイプ内に残存しやすく、残存した場合、雑菌の繁殖の要因ともなるため、残存したお茶の粉末を除去するための掃除が必要となると共に、該掃除は非常に面倒であるという問題点が生じる。
また、上記とは逆に、容器本体内に「お茶の粉末を原料とした茶飲料」、容器本体内のパイプに、「冷却水、温水、冷媒ガス等」を流した場合、前記パイプが破損すると、前記パイプ内の「冷却水、温水、冷媒ガス等」が「お茶の粉末を原料とした茶飲料」を汚染するという問題点も生じる。
【０００４】
本発明は、上記の問題点を除去するようにした給茶機、飲料用供給機及び給茶機の洗浄方法を提供することを目的とする。
【課題を解決するための手段】
【０００５】
本発明の給茶機は、水を受け入れる凹状の槽を有した本体と、前記槽内に水を供給する水供給管と、前記槽の外壁に取り付けられた冷却器と、前記槽内に設けられ、上部を開口した上部開口部を有し、お茶の粉末を受け入れると共に、周囲をフィルタ部材で形成された容器と、前記槽内に設けられると共に、前記容器の外側に位置し、前記槽内の前記お茶の粉末を含んだ水を攪拌する攪拌部材と、前記凹状の槽に連通すると共に、前記攪拌部材により攪拌された前記お茶の粉末を含んだ水を前記槽の外へ導く導出管と、前記槽内の水位が前記容器の上部開口部より下に位置するように水位調整を行う水位調整手段とを備えているものである。
【０００６】
また、請求項２記載の給茶機は、請求項１記載の給茶機において、水供給管の流出口は、容器内のお茶の粉末に臨む位置に配置され、前記水供給管の流出口よりの水が前記お茶の粉末に当たって前記槽内に供給されるものである。
【０００７】
また、請求項３記載の給茶機は、請求項１記載の給茶機において、容器は上部を開口すると共に、底部を閉塞した筒状容器であり、該筒状容器の底部及び側面部をフィルタ部材で形成し、水供給管の流出口は複数あって、少なくとも、前記複数の内の一つは前記容器の底部に置かれるお茶の粉末に臨む位置と、前記複数の内の一つは前記容器の側面部に臨む位置と、にそれぞれ配置されているものである。
【０００８】
また、請求項４記載の給茶機は、請求項２又は３記載の給茶機において、凹状の槽の上部開口部を塞ぐ第１の蓋と、容器の上部開口部を覆う第２の蓋と、を備えているものである。
【０００９】
また、請求項５記載の給茶機は、請求項１記載の給茶機において、水は水道水であり  、槽は、円筒状の壁と、この円筒状の壁の下縁部に連なった漏斗状の底壁とを有し、冷却器は、前記円筒状の壁の外側である外側壁に取り付けられ、ヒータは、前記漏斗状の底壁の外側である外側底壁に取り付けられ、前記槽内のお茶の粉末を含んだ水道水を前記冷却器または前記ヒータを作動、不作動に制御して温度調整する温度調整手段とを備えているものである。
【００１０】
また、請求項６記載の給茶機の洗浄方法は、水を受け入れる凹状の槽を有した本体と  、前記槽内に水を供給する水供給管と、前記槽の外壁に取り付けられた冷却器と、前記槽内に設けられ、上部を開口した上部開口部を有し、お茶の粉末を受け入れると共に、周囲をフィルタ部材で形成された容器と、前記槽内に設けられると共に、前記容器の外側に位置し、前記槽内の前記お茶の粉末を含んだ水を攪拌する攪拌部材と、前記凹状の槽に連通すると共に、前記攪拌部材により攪拌された前記お茶の粉末を含んだ水を前記槽の外へ導く導出管と、記槽内の水位が前記容器の上部開口部より下に位置するように水位調整を行う水位調整手段とを備えた給茶機であって、この給茶機の使用後、前記凹状の槽内を水洗いした後、前記凹状の槽内に水を入れ、前記給茶機の次の使用に至る間、前記温度調整手段により前記槽内の水を冷却器により、約１０℃以下に調整すると共に、前記攪拌部材により前記水を攪拌するものである。 
【００１１】
また、請求項７記載の飲料用供給機は、水を受け入れる凹状の槽を有した本体と、前記槽内に水を供給する水供給管と、前記槽の外壁に取り付けられた冷却器と、前記槽内に設けられ、上部を開口した上部開口部を有し、飲料用の粉末を受け入れると共に、周囲をフィルタ部材で形成された容器と、前記槽内に設けられると共に、前記容器の外側に位置し、前記槽内の前記飲料用の粉末を含んだ水を攪拌する攪拌部材と、前記凹状の槽に連通すると共に、前記攪拌部材により攪拌された前記飲料用の粉末を含んだ水を前記槽の外へ導く導出管と、前記槽内の水位が前記容器の上部開口部より下に位置するように水位調整を行う水位調整手段とを備えているものである。 
【発明の効果】
【００１２】
請求項１記載の給茶機によれば、容器内のお茶の粉末はフィルタ部材で形成された容器を介して槽内に導かれて、槽内の水に溶け込み、お茶のだまは前記フィルタ部材により容器の外へ流出されないと共に、容器内のお茶のだまは槽内の水に逐次溶けて、だまのないお茶の粉末を含んだ水を導出管により槽外へ導くことができ、しかも、水位調整手段により槽内の水位が容器の上部開口部より下に位置するように水位調整を行うため、前記フィルタ部材を介さない上部開口部よりのお茶のだまが容器の外へ流出するのを防ぐことができ、更に、槽内のお茶の粉末を含んだ水は、冷却器により冷やされるため、雑菌の繁殖をも防止することができ、また、使用後は、比較的大きな凹状の槽の内壁に付着したお茶の粉末をブラシ等を使って水洗いして容易に清掃することができる。
【００１３】
また、請求項２記載の給茶機によれば、前述した請求項１記載の発明の効果に加え、槽内に水を供給する際、水供給管の流出口は、容器内のお茶の粉末に臨む位置に配置され  、前記水供給管の流出口よりの水が前記お茶の粉末に当たって前記槽内に供給されるため、槽内に水を供給する際、水の勢いでお茶の粉末を攪拌することができる。
【００１４】
また、請求項３記載の給茶機によれば、前述した請求項１記載の発明の効果に加え、容器は上部を開口すると共に、底部を閉塞した筒状容器であり、該筒状容器の底部及び側面部をフィルタ部材で形成し、水供給管の流出口は複数あって、少なくとも、前記複数の内の一つは前記容器の底部に置かれるお茶の粉末に臨む位置と、前記複数の内の一つは前記容器の側面部に臨む位置と、にそれぞれ配置されているため、槽内に水を供給する際、底部に臨む水供給管の流出口により、水の勢いでお茶の粉末を攪拌することができ、しかも、容器の側面部に臨む水供給管の流出口により、容器の側面部に付着するお茶の粉末を除去して容器の側面部にお茶のだまが生じるのを防いで、お茶の粉末が水に均一に溶け込むようにすることができる。
【００１５】
また、請求項４記載の給茶機によれば、前述した請求項２又は３記載の発明の効果に加え、水供給管の流出口からの水の供給により水の勢いでお茶の粉末が舞い上がるが、舞い上がるお茶の粉末は第２の蓋により防ぎ 、槽内へのお茶の粉末の飛散を防止し、引いては、槽内へのお茶の粉末の飛散が少ない分、槽内の清掃を容易にすることができ、更に、容器の上部開口部と第２の蓋との間から流出したお茶の粉末は、凹状の槽の上部開口部を塞ぐ１の蓋により本体外への流出を防ぐことができる。
【００１６】
また、請求項５記載の給茶機によれば、前述した請求項１記載の発明の効果に加え、槽内のお茶の粉末を含んだ水道水を温度調整手段により、夏場にあっても、例えば、前記槽内のお茶の粉末を含んだ水道水の温度を約８℃〜１０℃の一般細菌が繁殖しない温度に調整でき、しかも、冷却器は、円筒状の壁の外側である外側壁に取り付けられ、ヒータは、漏斗状の底壁の外側である外側底壁に取り付けられているため、槽内のお茶の粉末を含んだ水道水を効率良く、夏場にあっては冷却又は冬場にあっては加温することができ、更に、槽は、円筒状の壁と、この円筒状の壁の下縁部に連なった漏斗状の底壁とを有して、槽の上端は開口しているため、使用後の水洗い等による清掃が容易である。
【００１７】
また、請求項６記載の給茶機の洗浄方法によれば、給茶機の使用後、凹状の槽内を水洗いした後、前記凹状の槽内に水を入れ、前記給茶機の次の使用に至る間、温度調整手段により前記槽内の水を冷却器により、約１０℃以下に調整すると共に、前記攪拌部材により前記水を攪拌するため、雑菌の繁殖を防止しながら、凹状の槽の内壁に付着したお茶の粉末を除去して凹状の槽内の清掃を行うことができる。
【００１８】
また、請求項７記載の給茶機によれば、容器内の飲料用の粉末はフィルタ部材で形成された容器を介して槽内に導かれて、槽内の水に溶け込み、飲料用の粉末は前記フィルタ部材により容器の外へ流出されないと共に、容器内の飲料用の粉末は槽内の水に逐次溶けて、だまのない飲料用の粉末を含んだ水を導出管により槽外へ導くことができ、しかも、水位調整手段により槽内の水位が容器の上部開口部より下に位置するように水位調整を行うため、前記フィルタ部材を介さない上部開口部よりの飲料用の粉末のだまが容器の外へ流出するのを防ぐことができ、更に、槽内の飲料用の粉末を含んだ水は、冷却器により冷やされるため、雑菌の繁殖をも防止することができ、また、使用後は、比較的大きな凹状の槽の内壁に付着した飲料用の粉末をブラシ等を使って水洗いして容易に清掃することができる。
【発明を実施するための最良の形態】
【００１９】
本発明の給茶機及び給茶機の洗浄方法の一実施例を図面を参照して説明する。
図１において、Ｔは給茶機で、この給茶機Ｔは、水（例えば、水道水）にお茶の粉末Ｇ（図５参照。なお、お茶の粉末Ｇの大きさは、例えば、１０〜１５ミクロン）を溶かし込んで、お茶の粉末Ｇを含んだ水を供給するものである。
【００２０】
給茶機Ｔは、水を受け入れる凹状の槽１ａを有した本体１と、槽１ａ内に水を供給する水供給管２と、槽１ａの外壁に取り付けられた冷却器３と、槽１ａ内に設けられ、上部を開口した上部開口部１ｂ（図２参照）を有し、お茶の粉末Ｇを受け入れると共に、周囲をフィルタ部材（金網、樹脂製の網等）で形成された容器４と、槽１ａ内に設けられると共に、容器４の外側に位置し、槽１ａ内のお茶の粉末Ｇを含んだ水を攪拌する攪拌部材５と、凹状の槽１ａに連通すると共に、攪拌部材５により攪拌されたお茶の粉末Ｇを含んだ水を槽１ａの外へ導く導出管６とを備えている。
なお、攪拌部材５は、例えば、モータ５１により回転する回転軸５２の先端に設けた羽根５３より構成され（図１参照）、また、導出管６の出口側には、複数の開閉手段を備えた複数の出口部６ａ、６ａ、６ａが設けられている（図３参照）。
【００２１】
槽１ａは、熱交換ユニットとして使用するもので、例えば、２００リットル以上の水を受け入れる大きさを有し、材質はステンレスで形成され、円筒状の壁１ａ１と、この円筒状の壁１ａ１の下縁部に連なった漏斗状の底壁１ａ２とを有している。円筒状の壁１ａ１の外側である外側壁１ａ１’には、冷却器３が取り付けられている。
この冷却器３は、例えば、冷凍サイクルの蒸発器（エバポレータ）で、冷却器３以外の冷凍サイクルを構成する圧縮機Ｃ、凝縮器７等は、本体１の下方に設けられ、圧縮機Ｃ  、凝縮器７、減圧装置（図示せず）、冷却器３は、周知の銅パイプ２０で接続されている。
また、漏斗状の底壁１ａ２の外側である外側底壁１ａ２’には、ヒータ８が取り付けられている。冷却器３及びヒータ８は、断熱材９（例えば、グラスウール）、アルミ１０で覆われている。
なお、図３に示す１１は温度調整手段で、温度調整手段１１は、槽１ａ内のお茶の粉末Ｇを含んだ水道水の温度を温度センサＳで検知し、冷却器７またはヒータ８を作動（ＯＮ）、不作動（ ＯＦＦ）に制御して温度を調整する。冷却器７の作動は圧縮機ＣをＯＮに、冷却器７の不作動は圧縮機ＣをＯＦＦに、ヒータ８の作動はスイッチＳＷをＯＮに、ヒータ８の不作動はスイッチＳＷをＯＦＦに、なるように制御される。
【００２２】
このようにして、夏冬で温度変化のある水道水の温度は、一般細菌が繁殖しない温度  、例えば、約８℃〜１０℃に調整される。また、冷却器３は、円筒状の壁１ａ１の外側である外側壁１ａ１’に取り付けられ、ヒータ８は、漏斗状の底壁１ａ２の外側である外側底壁１ａ２’に取り付けられているため、槽１ａ内のお茶の粉末Ｇを含んだ水を効率良く夏場にあっては冷却又は冬場にあっては加温することができ、更に、槽１ａは、円筒状の壁１ａ１と、この円筒状の壁１ａ１の下縁部に連なった漏斗状の底壁１ａ２とを有して、槽１ａの上端は開口しているため、使用後の水洗い等による清掃が容易である。
【００２３】
また、図３に示す１２は水位調整手段で、水位調整手段１２は槽１ａ内の水位が容器４の上部開口部４ａより下に位置するように水位調整を行うもので、具体的には、相互に異なる下端高さを有する電極棒Ｄ１、Ｄ２、Ｄ３を設け、電極棒Ｄ１、Ｄ２、Ｄ３の下端と液面との接触によりON信号を出力して、水供給管２の水の供給を停止する（水の供給を停止は、例えば、水供給管２の通路を開閉する開閉弁Ｋを閉じるように制御する。）。  
また、水位調整手段１２は、前述のように、水位を直接検知せず、水の供給時間をタイマー（図示せず）により制御して、槽１ａ内の水位が容器４の上部開口部４ａより下に位置するように水位調整を行うようにしても良い。
【００２４】
なお、容器４は、例えば、図５に示すように、上部を開口（上部開口部４ａ）すると共に、底部を閉塞した筒状容器であり、該筒状容器の底部及び側面部をフィルタ部材で形成したもので、フィルタ部材の目の大きさは、お茶のだまを外へ流出しない大きさで、例えば、お茶の粉末Ｇの大きさを、例えば、１０〜１５ミクロンとすれば、容器４のフィルタ部材のメッシュの大きさは、例えば、４０メッシュ〜６０メッシュ程度である。なお、前記筒状容器は、図５に示す筒状容器の長手方向を横断する断面が円に限らず、例えば、図示しないが、筒状容器の長手方向を横断する断面が楕円、三角、四角、六角、八角等の多角形のものでも良い。
【００２５】
また、図１及び図２に示す１４は、凹状の槽１ａの上部開口部１ｂを塞ぐ第１の蓋で  、第１の蓋１４は、例えば、部分的に開閉できるようヒンジ１４ａを有している。図４及び図５に示す１５は、容器４の上部開口部４ａを覆う第２の蓋である。
この容器４は、図５に示す支持部材１６に支持されるようになっている。この支持部材１６は水供給管２の出口側に設けられた環状部２ａに支持され、水供給管２の流出口２ｂは、槽１ａ内の容器４内のお茶の粉末Ｇに臨む位置に配置されている。流出口２ｂは、複数、例えば、４個で、４個は対向するように設けられ（図６及び図７参照）、４個の内、２個の流出口２ｂは容器４の底部に、他の２個の流出口２ｂは容器４の側面部に、それぞれに臨む位置（向かう角度）に設定されている。
なお、環状部２ａの上面に突起２ｃは、支持部材１６の上縁部１６ａに設けられた開口部１６ｂに係合するようになっている。
【００２６】
従って、上述した給茶機Ｔによれば、容器４内のお茶の粉末Ｇ（容器４内のお茶の粉末Ｇは、例えば、１５０ｇ程度である。）はフィルタ部材を介して槽１ａ内に導かれて、槽１ａ内の水に溶け込み、お茶のだまは前記フィルタ部材により容器４の外へ流出されないと共に、容器４内のお茶のだまは槽１ａ内の水に逐次溶けて、だまのないお茶の粉末Ｇを含んだ水を導出管６により槽１ａ外へ導くことができ、しかも、水位調整手段１２により槽１ａ内の水位が容器４の上部開口部４ａより下に位置するように水位調整を行うため  、前記フィルタ部材を介さない上部開口部４ａよりのお茶のだまが容器４の外へ流出するのを防ぐことができ、更に、槽１ａ内のお茶の粉末Ｇを含んだ水は、冷却器３により冷やされるため、雑菌の繁殖をも防止することができ、また、使用後は、比較的大きな凹状の槽１ａの内壁に付着したお茶の粉末Ｇをブラシ等を使って水洗いして容易に清掃することができる。
【００２７】
また、水供給管２より流出する流出口２ｂは、槽１ａ内の容器４内のお茶の粉末Ｇに臨む位置に配置されているため、槽１ａ内に水を供給する際、水の勢いでお茶の粉末Ｇを攪拌すると共に、攪拌に伴い舞い上がるお茶の粉末Ｇが容器４の上部開口部４ａより外へと流出するのを第２の蓋１５により防ぎ 、槽１ａ内へのお茶の粉末Ｇの飛散を防止し、引いては、槽１ａ内へのお茶の粉末Ｇの飛散が少ない分、槽１ａ内の清掃を容易にすることができ、更に、容器４の上部開口部４ａと第２の蓋１５との間から流出したお茶の粉末Ｇは、凹状の槽１ａの上部開口部１ｂを塞ぐ第１の蓋１４により本体１外への流出を防ぐことができる。なお、槽１ａ内の清掃がなされないと、お茶の粉末Ｇを栄養源として黴が発生する。
【００２８】
また、給茶機Ｔの使用後、凹状の槽１ａ内を水洗いした後、凹状の槽１ａ内に水（例えば、水道水）を入れて溜め、給茶機Ｔの次の使用に至る間、温度調整手段１１により槽１ａ内の水を冷却器７により、約１０℃以下に調整すると共に、攪拌部材５より前記水を攪拌して、給茶機Ｔの洗浄を行う。
水温が約１０℃以下であるため、雑菌の繁殖を防止しつつ、凹状の槽１ａの内壁に付着したお茶の粉末Ｇをも除去することができ、凹状の槽１ａ内の清掃を行うことができる  。
なお、給茶機Ｔの使用後、凹状の槽１ａ内を水洗いした後、凹状の槽１ａ内を乾燥する方法も試みたが、凹状の槽１ａ内を乾燥しても、乾燥状態を保持することは困難で、水洗いした後において凹状の槽１ａの内壁に除去できず付着したお茶の粉末Ｇを取り除くこともできず、上述した給茶機の洗浄方法が簡易で、しかも、有効であった。
【００２９】
なお、特に、容器４は上部を開口すると共に、底部を閉塞した筒状容器であり、該筒状容器の底部及び側面部をフィルタ部材で形成し、水供給管２の流出口２ｂは複数あって  、少なくとも、前記複数の内の一つは容器４の底部に置かれるお茶の粉末Ｇに臨む位置と、前記複数の内の一つは容器４の側面部に臨む位置と、にそれぞれ配置されていると、槽１ａ内に水を供給する際、底部に臨む水供給管２の流出口２ｂにより、水の勢いでお茶の粉末Ｇを攪拌することができ、しかも、容器４の側面部に臨む水供給管２の流出口２ｂにより、容器４の側面部に付着するお茶の粉末Ｇを除去して容器４の側面部にお茶のだまが生じるのを防いで、お茶の粉末Ｇが水に均一に溶け込むようにすることができる。
【００３０】
なお、上述した実施例においては、お茶の粉末を対象としたが、本願発明にあってはこれに限らず、インスタントコーヒ、ココア、紅茶等の飲料用の粉末にも同様に適用でき  、同様の作用効果を有する。かかる場合、上述した給茶機Ｔは、飲料用供給機となる。
【図面の簡単な説明】
【００３１】
【図１】図１は、本発明の一実施例の給茶機の概略的断面図である。
【図２】図２は、図１の給茶機の概略的平面図である。
【図３】図３は、図１の給茶機の概略的構成図である。
【図４】図４は、図１の給茶機の一部の概略的一部拡大断面図である。
【図５】図５は、図４を分解して示す概略的分解斜視図である。
【図６】図６は、図４の水供給管の流出口より流出する水の流れの概略的説明図である。
【図７】図７は、図６の概略的平面図である。
【符号の説明】
【００３２】
Ｔ        給茶機
１        本体
１ａ      槽
２        水供給管
３        冷却器
４        容器
５        攪拌部材
６        導出管
【図１】
2008237423.tif 000003
【図２】
2008237423.tif 000004
【図３】
2008237423.tif 000005
【図４】
2008237423.tif 000006
【図５】
2008237423.tif 000007
【図６】
2008237423.tif 000008
【図７】
2008237423.tif 000009